(57)【要約】  本発明は、液体調合剤を計量配分するための、特に医療用、薬剤用、化粧品用の液体調合剤を計量配分するための計量配分装置（１）に関するものであり、そこでは保存剤の使用を廃止できるものである。【選択図】図５
2011513053.tif 000002
【特許請求の範囲】
【請求項１】
液体調合剤を計量配分するための計量配分装置（１）であって、液体調合剤用の貯蔵容器（２）およびその貯蔵容器（２）と接続可能である操作部本体（３）を含んでおり、前記操作部本体（３）が、キャップ部分（４）に接続される中空体（３０）、ポンプピストン（５）、ポンプ室（６）、および排出通路（８）を介してポンプ室（６）と接続されるノズル（７）を有している計量配分装置において、
排出通路（８）の端部範囲に、バネで作動する排出バルブ（３６）が配設されており、前記排出通路のバネ（３３）が、排出通路（８）に接続される別個の凹部（３４）により案内されている
ことを特徴とする計量配分装置。
【請求項２】
請求項１に記載の計量配分装置において、
ノズル（７）が、中空体（３０）から側方で外側に案内されている
ことを特徴とする計量配分装置。
【請求項３】
請求項１に記載の計量配分装置において、
ノズル（７）が、キャップ部分（４）の上方で外側に案内されている
ことを特徴とする計量配分装置。
【請求項４】
請求項１乃至３のいずれか一項に記載の計量配分装置において、
排出通路（８）と接続されるノズル（７）が、別個の部品として構成されている
ことを特徴とする計量配分装置。
【請求項５】
請求項１乃至４のいずれか一項に記載の計量配分装置において、
排出バルブ（３６）が、排出通路（８）の端部に直接配設されている
ことを特徴とする計量配分装置。
【請求項６】
請求項１乃至５の少なくとも一つに記載の計量配分装置において、
排出通路（８）および／または排出バルブ（３６）のバルブ本体（３５）が、殺菌作用のある媒体を有している
ことを特徴とする計量配分装置。
【請求項７】
請求項６に記載の計量配分装置において、
前記殺菌作用のある媒体が、殺菌作用のあるコーティング又は殺菌作用のある構成部品で構成される群から選択されている
ことを特徴とする計量配分装置。
【請求項８】
請求項６または７に記載の計量配分装置において、
前記殺菌作用のある媒体が、銀または銀塩、特に塩化銀である
ことを特徴とする計量配分装置。
【請求項９】
請求項１乃至８のいずれか一項に記載の計量配分装置において、
キャップ部分（４）と接続される中空体（３０）が、円筒状である
ことを特徴とする計量配分装置。
【請求項１０】
請求項１乃至９のいずれか一項に記載の計量配分装置において、
キャップ部分（４）と中空体（３０）が、一体で構成されている
ことを特徴とする計量配分装置。
【請求項１１】
請求項１０に記載の計量配分装置において、
キャップ部分（４）、中空体（３０）、およびポンプピストン（５）が、一体で構成されている
ことを特徴とする計量配分装置。
【請求項１２】
請求項１乃至１１のいずれか一項に記載の計量配分装置（１）において、
ポンプ室（６）が、入口バルブ（９）を設けた入口開口部（１０）を介して、貯蔵容器（２）と接続されている
ことを特徴とする計量配分装置。
【請求項１３】
請求項１乃至１２のいずれか一項に記載の計量配分装置（１）において、
ポンプ室（６）とキャップ部分（４）の間に、キャップ部分（４）を戻すための機械的な戻し機構、好ましくは戻しバネ（１１）および／または蛇腹（１２）が配設されている
ことを特徴とする計量配分装置。
【請求項１４】
請求項１乃至１３のいずれか一項に記載の計量配分装置（１）において、
空気圧調整なしで作動するように構成されている
ことを特徴とする計量配分装置。
【請求項１５】
請求項１乃至１４のいずれか一項に記載の計量配分装置（１）において、
貯蔵容器（２）が、ピストン（１５）とフィルターメッシュ（１６）を有している
ことを特徴とする計量配分装置。
【請求項１６】
請求項１乃至１５のいずれか一項に記載の計量配分装置（１）において、
貯蔵容器（２）が、摩擦を減少する手段（２２）を内側に有している
ことを特徴とする計量配分装置。
【請求項１７】
請求項１１または１２に記載の計量配分装置において、
ピストン（１５）が、該ピストンの貯蔵容器（２）の内側に向いた側に、摩擦を減少する手段（２３）を有している
ことを特徴とする計量配分装置。
【発明の詳細な説明】
【技術分野】
【０００１】
本発明は、液体調合剤を計量配分するための、特に医療用、薬剤用、化粧品用の液体調合剤を計量配分するための計量配分装置に関するものであり、そこでは保存剤の使用を廃止できるものである。別の用法は、例えば栄養補給剤、香辛料等のための食品分野にある。
【背景技術】
【０００２】
バイ菌のない流体を供給するための計量配分装置は、例えばＥＰ０４７３８９２Ａ２号公報で公知である。しかしながら、その中で記述されている計量配分装置は、非常に数多くの単体部品で構成されており、そのことが製造を不必要に複雑にして高価なものにするだけでなく、記述されている計量配分装置はエラーやトラブルが発生し易いものである。
【０００３】
更にこの公知の計量配分装置では、計量配分する調合剤の十分に正確な計量配分が可能であるのは、全てのケースではない。
【先行技術文献】
【特許文献】
【０００４】
【特許文献１】ＥＰ０４７３８９２Ａ２号公報
【発明の概要】
【発明が解決しようとする課題】
【０００５】
以上のことを前提に本発明の課題は、液体調合剤を計量供給するための計量配分装置を提供することであり、それは出来る限り簡単な構造を有しており、それにより従来技術で公知の欠点を回避するものである。
【課題を解決するための手段】
【０００６】
この課題を、請求項１の特徴を使って解決する。その場合に従属請求項が、利点のある変形構成を示している。
よって本発明によれば、排出通路の端部範囲にバネで作動する排出バルブを配設し、それのバネが、排出通路と繋がっている別個の凹部により案内されるようにして、従来技術で公知の計量配分装置を改良構成することを提案している。
【０００７】
排出通路の端部範囲に排出バルブを配設することにより、計量配分する調合剤を最適で計量配分することが、あらゆる使用条件下で達成される。この解決手段では特に、計量配分装置の長時間停止時に、ノズルまでの排出通路にある液体調合剤が乾燥してしまうことにならないことが利点であり、同様にして排出通路にある液体が例えばバクテリアにより汚染されることが効率的に阻止される。そのとき本発明による排出バルブの構成は、排出通路と繋がっていると共に排出バルブ、即ちバルブピストンを作動するために使用する凹部、好ましくは溝の中で、バネ、即ちバルブスプリングが案内されるようになっている。
【０００８】
本発明の計量配分装置を操作する時には、計量配分装置の内側空間から送出された液体が、バルブスプリングとバルブピストンに対して圧力を及ぼすので、ピストンがバネの方向に移動して出口開口部が開き、それにより液体が流出できる。更に、バルブスプリングが別個の凹部の中で案内されていることにより、計量配分することになる液体調合剤がバネと接触しないことが保証される。
【０００９】
本発明による計量配分装置ではノズルと排出通路を、好ましくは中空円筒として構成されている中空体から側方で外側に案内されるものとすることができるが、あるいはノズルがキャップ部分の上方で外方に導かれることもある。
【００１０】
本発明で別の利点ある実施形態は、排出通路および／またはバルブ本体が殺菌作用のある媒体を有していることを提案している。これは、例えば銀のような殺菌作用のある媒体で該当部品を直接形成するか、あるいは該当する範囲に殺菌作用のあるコーティングを施すかにより行うことができる。同じく、殺菌作用のある構成部品を備えているという可能性もあり、これは、例えば殺菌作用を有するスプリングまたは螺旋の形態で、ノズル開口部の範囲において行うことができる。
【００１１】
殺菌作用のある媒体としては特に、銀または銀塩、例えば塩化銀が対象になる。
本発明による計量配分装置が好ましいのは更に、特徴として著しく簡素化された構造を有していることである。円筒状が好ましい中空体を有するキャップ部分を一体で構成できることにより、明らかに削減された数の個別部品で操作部本体を製造し、それにより生産コストを下げる可能性が得られる。そのとき特に、中空円筒を有するキャップ部分だけでなくポンプピストンも一体で、即ちモノリシックに構成されていると好ましい。例えば先に挙げた個別部品は、ある程度任意のプラスチックから射出成形法でコスト的に有利に製造することができる。更に利点と云えるのは、内容が同じままであり機能が同じである時に包装が実質的に小さくなることであり、それは経済的およびエコロジーの観点でも同じく利点があるものと見なされる。
【００１２】
ノズルを備えた排出通路が、キャップ部分の一体構成部品として構成されていることがあり、その場合にはポンプ室への接続が、ポンプピストン内を延びる通路により構成されていると好ましい。これに対する代替として、ノズルを備えた排出通路を別個の部品として設けている設計も同じく可能である。
【００１３】
利点ある実施形態ではポンプ室が、入口開口部を介して貯蔵容器と繋がっている。計量配分する液体が効率的に補充のために流れることを確実にし、そしてポンプ室にある液体が計量配分中に逆流することを阻止するために、この入口開口部が入口バルブを有している。この入口バルブは、例えばボールバルブとして構成されていることがあり、そして特に殺菌作用のある物質または、例えば銀または塩化銀のような殺菌作用のある物質でコーティングされた材料で形成されていることがある。ここでは入口バルブとして、銀でコーティングしたステンレスボールが特に好ましい。
【００１４】
計量配分工程の後における操作部本体の復帰、および貯蔵容器からポンプ室への液体の補充を確実にするために、ポンプ室とキャップ部分の間に機械的な戻し機構を配設していると好ましい。これは特に、戻しバネおよび／または蛇腹とすることがあり、例えば蛇腹を備えた戻しバネのようにしていることがある。
【００１５】
本発明による計量配分装置では更に、貯蔵容器がその内側に摩擦を減らす手段を有していると好都合である。その内側がポリエチレン層を備えていると好ましい。この場合には貯蔵容器を、二材射出成形法で製造することができる。貯蔵容器の内側とは別に、同時および／またはそれとは関係なくピストンがスライド被膜を有していることもある。この段落で記述しているポリエチレンを使ったコーティングは摩擦を減少するだけでなく、医療的な使用目的に対して認可されるという利点ももたらす。
【００１６】
計量配分装置が空気圧調整なしで作動する、即ち、流入する空気により貯蔵容器内での圧力調整をその操作中に行わないと、更に好ましい。
貯蔵容器がピストン、例えば摺動ピストンを有していることがある。その貯蔵容器の底部は、フィルターメッシュ、例えば活性炭フィルターまたはナイロンまたはポリビニリデンフルオライド膜（ＰＶＤＦ）を備えていることがあり、それにより確実に、例えばバクテリアおよび胞子が流入する空気を通過することがない。
【００１７】
以下の図を使って本発明を詳細に説明するが、図面で示した特別な実施方法に制限されるものではない。
【図面の簡単な説明】
【００１８】
【図１】本発明による計量配分装置の操作部本体の拡大図であり、排出バルブの第一実施形態を備えている。
【図２】本発明による計量配分装置の操作部本体の拡大図であり、ここでは傾斜して外側に向いた排出通路を備えている。
【図３】本発明による計量配分装置の操作部本体の拡大図であり、ここでは排出ノズルがキャップ部分の上方で外方に案内されている。
【図４】操作部本体と摺動ピストン式ボトルで構成する計量配分装置を、図４ａで全体外観で示しており、図４ａは摺動ピストン式ボトルが空の状態を、図４ｂは充填された状態を示している。
【図５】図４ａと４ｂの変形例として図５ａと５ｂで、摺動ピストンの下に追加の圧縮バネを有する摺動ピストン式ボトルを備えた計量配分装置を示しており、図５ａは充填された状態、図５ｂは空の状態を示している。
【図６】本発明による計量配分装置の別の実施形態を示しており、ここでは貯蔵容器は蛇腹が装備されている。図６ａは計量配分装置が満杯の状態、そして図６ｂは空にされた変化を示している。
【図７】別の実施形態を示しており、ここでは図６に対する変形例として摺動ピストンの下に追加の圧縮バネが設けられている。図７ａは貯蔵容器が満杯の状態、そして図７ｂは同じ計量配分装置を空にされた状態で示している。
【図８】コーティングされた摺動ピストンの構成を、部分拡大図で示している。
【発明を実施するための形態】
【００１９】
図１は、本発明による計量配分装置１の操作部本体３を拡大図で示している。図１では貯蔵容器２を、図中で存在のみを示している。貯蔵容器の構成に関しては、図４〜７を参照されたい。
【００２０】
図１による実施形態の操作部本体３は、キャップ部分４および円筒形状をした中空体３０、そして形状合致してポンプ室６に挿入可能であると共にキャップ部分４および円筒状中空体３０と一体的に繋がるポンプピストン５で構成されている。このとき基本的なことは、圧縮バネ３３とバルブピストン３５で構成する排出バルブ３６を、排出通路８の端部範囲に配設していることである。そこで圧縮バネ３３は、排出通路８と繋がっている凹部３４の中で案内されている。使用者がキャップ部分４を上から押さえると、ポンプピストン５がポンプ室６の中に移動して、それによりポンプ室６の中にある液体をノズル７に向かって排出通路８を通じて変位させる。その時に発生する過圧により排出バルブ３６が、バルブ３６を閉位置で保持するバネ３３の張力に抗して開かれ、それにより液体の流出が可能になる。その場合にピストン５のストローク容積が、排出される計量配分量を決める。計量配分工程が終了した後にキャップ部分４は、蛇腹１２の中に埋め込み加工されている戻しバネ１１により、繋がっているピストン５と一緒に自動的に初期位置に戻され、その時にポンプ室６には負圧が発生するので、バルブ９により閉じられていた開口部１０を通じて貯蔵容器２から、液体がポンプ室６に流入して補充される。バルブ３６は殺菌作用のある材料で出来ている、又は殺菌作用のある物質（例えば銀または銀塩）で被膜された材料を使って形成していることがあり、そして入口バルブ９も同じであるが、それにより、中にある液体調合剤の殺菌を効果的に維持することが保証される。前記で説明した実施形態で特に指摘すべきことは、バネ３３が凹部３４の中で案内されるように排出バルブ３６を構成していることにより、液体がバネ３３と接触することにならないので、排出バルブを確実に且つ殺菌状態で操作することが可能となることである。
【００２１】
図２は、操作部本体３で最適化した別の実施形態を示しており、ここでも拡大して図示している。図１で記載した実施形態との違いとして、図２によるこの実施形態では、排出通路８が円筒状中空体３０を通り外方に向かって直線的に案内されており、それにより製造技術的に簡略化が得られる。この実施形態により同じく、操作ボタンとして構成されるキャップ部分４の高さを低くでき、それにより、操作部本体３、ひいては全体として計量配分装置１をコンパクトにできることが保証される。図２で図示している操作部本体の特殊性は更に、同じくバルブスプリング３３とバルブ本体３５を含む排出バルブ３６および排出ノズル７が、排出通路８に被せてスナップ止めされたケーシングに収納されていることに見ることができる。この簡単に外せる機械的な接続方法により、例えばバルブが詰まった場合にも容易にアクセスできるので、大した手間をかけずに排出バルブ３６を洗浄することができる。尚、前記の図１で説明した実施形態のように、本発明による計量配分装置の操作部本体３は追加のシール要素３９を有しており、それが貯蔵容器２に対して操作部本体３を密封する機能を果たすことを、ここで更に示唆しておきたい。
【００２２】
図３は、本発明による計量配分装置の操作部本体３で別の実施形態を、同じく拡大図で示している。この実施形態の操作部本体３も同じく、円筒状中空体３と一体で繋がっているキャップ部分４で構成されている。図１および２による実施形態との違いとして、ここではノズル７がキャップ部分４の上方で外方に案内されている。このとき実施に当たって必要なことは、キャップ部分４の中に垂直導管４０を加工していることのみであり、そこで垂直導管４０は、バルブ３６を介して二つの分岐排出通路８’、８”と連通して繋がっている。この実施形態でもバルブ３６は、バネ３３とバルブピストン３５で出来るように構成されている。本発明には勿論、唯一の排出通路８’または二つ以上の排出通路を設けている実施形態も含まれる。
【００２３】
以降の参照符号は、既に図１と２で記載したものに相当している。
図４は、操作部本体３と貯蔵容器２で出来た本発明による計量配分装置１の構成を概略的に断面で示している。その操作部本体３の構成は、既に図１で詳細に記述したものに相当している。そこでの貯蔵容器２は、ピストン１５およびフィルターメッシュ１６を有するように構成されている。フィルターメッシュ１６は更に、底部ネジ止めを介してアクセスできるものとすることができる。
【００２４】
操作部本体３は、差し込み接続を介して貯蔵容器２と噛み合って接続しているが、その接続は例えばねじ込みのように、別の任意形式で行うこともできる。図４ａでは貯蔵容器２を、空にした状態で図示している、即ち、摺動ピストン１５が操作部本体３に当接しているのに対して、図４ｂは貯蔵容器２を充填した状態で示している、即ち、摺動ピストン１５は底部に位置している。摺動ピストン式ボトルの最も簡単な実施方法を示す図４の実施形態では、貯蔵容器２の内側面に摩擦を減らすコーティングを追加して設けるようにすることもある。ポリエチレンを使ったコーティングは摩擦を減少するだけでなく、医療的な使用目的に対して認可されるという利点ももたらす。
【００２５】
図５は別の実施形態を示しており、それは既に図４で記述したものに相当しているが、ここでは摺動ピストン１５の下に圧縮バネ４１を追加して配設するようにしている。そこで図５ａは貯蔵容器２を充填した状態で、そして図５ｂは貯蔵容器２を空にされた状態で示しており、ここでは圧縮バネ４１が摺動ピストン１５を上方に案内している。
【００２６】
図６は更に別の実施形態を示しており、ここでは貯蔵容器２の中に蛇腹１７を設けている。その蛇腹１７は前もって力を受けている、即ち、空にされた状態（図６ｂ）で折り畳まれている。図６ａでは貯蔵容器２が充填されている時の状態を図示している。この場合には、蛇腹１７の折り畳みが伸ばされている。図５による実施形態との違いとして図６で図示している実施形態では、追加のフィルター装置を底部に設けていない。
【００２７】
図７は別の実施形態を最後として示しており、それは既に図６で記述したものに相当しているが、ここでは更に追加の圧縮バネ４１を摺動ピストン１５の下に設けている。よって、この実施形態では蛇腹１７の他に、追加の圧縮バネ４１が配設されていることになる。
【００２８】
図８は、図４と５ないし６または７による貯蔵容器の部分拡大図を示しており、ここでは更に摺動ピストン１５に、容器２の内壁に向き合う側にスライド被膜、例えばポリエチレンコーティング２３が施されている。更に貯蔵容器２の容器内側は、追加のスライド被膜２２を有している。ポリエチレンを使ったコーティングは摩擦を減少するだけでなく、医療的な使用目的に対して認可されるという利点ももたらす。
【符号の説明】
【００２９】
１      計量配分装置
２      貯蔵容器
３      操作部本体
４      キャップ部分
５      ポンプピストン
６      ポンプ室
７      ノズル
８      排出通路
９      入口バルブ
１０    開口部
１１    戻りバネ
１２    蛇腹
１５    摺動ピストン
１６    フィルターメッシュ
１７    蛇腹
２２    スライド被膜
２３    ポリエチレンコーティング
３０    円筒状中空体
３３    圧縮バネ
３４    凹部
３５    バルブピストン
３６    排出バルブ
４０    垂直導管
４１    圧縮バネ
【図１】
2011513053.tif 000003
【図２】
2011513053.tif 000004
【図３】
2011513053.tif 000005
【図４ａ）】
2011513053.tif 000006
【図４ｂ）】
2011513053.tif 000007
【図５ａ）】
2011513053.tif 000008
【図５ｂ）】
2011513053.tif 000009
【図６ａ）】
2011513053.tif 000010
【図６ｂ）】
2011513053.tif 000011
【図７ａ）】
2011513053.tif 000012
【図７ｂ）】
2011513053.tif 000013
【図８】
2011513053.tif 000014
【国際調査報告】
2011513053.tif 000015
2011513053.tif 000016
2011513053.tif 000017
2011513053.tif 000018
2011513053.tif 000019
2011513053.tif 000020